(57)【特許請求の範囲】
【請求項１】
荷重を支えるための下方フック胴体（１１０）と、ホイストチェーン（５０）の下方部分で支持される上部シャンク（１１２）とを有し、前記シャンクと前記フック胴体との間にフック開口部が形成され、前記シャンクは実質的に平行なシャンク部（１１３，１１４）によって形成され、これらシャンク部の間にはスロット（１１６）が形成され、該スロットは前記ホイストチェーンのリンク（５２）の内の１つを収容できる形状寸法を有し、このリンクは前記スロットの中央に位置し、前記シャンク部分にはスロットの中央に位置するホイストチェーンの前記リンクに隣接する係合リンク（５３）と係合するための凹状の座面（１２３，１２４）が設けられている吊り上げフックにおいて、
前記シャンク（１１２）のブリッジ部（１１５）が、前記２つのシャンク部（１１３，１１４）を互いに連結し且つ前記スロットを上部と下部に分けるためにブリッジ部（１１５）が前記シャンク部間の前記スロット（１１６）を横断して延び、
スロットの上部にはフックのシャンクにホイストチェーンの末端リンク（５１）を確実に固定するために２つのシャンク部（１１３，１１４）間を横手方向に延びる固定部材（１０１）が設けられ、
スロットの下部は前記ホイストチェーンの所望のリンク（５２）が挿入され且つ前記ブリッジ部に隣接する前記スロットの中央に移動できるように挿入開口部（１２８）を有し、
前記凹状の座面は前記ブリッジ部に隣接する下方スロット部に位置し、係合リンクが前記座面と係合した時、前記上部シャンクから横手方向に離れるように突出して、前記固定末端リンク（５１）と前記係合リンク（５３）の間でホイストチェーンのゆるい荷重の懸からないループ（５４）を形成することを特徴とする吊り上げフック。
【請求項２】
前記スロット（１１６）がフック胴体が少なくとも前記ブリッジ部（１１６）に隣接する上下スロット部で延びる主要面Ｂに対して実質的に垂直な面Ａで延びることを特徴とする請求項１記載の吊り上げフック。
【請求項３】
前記スロット（１１６）が実質的に直線状で、該スロットの前記下方部の挿入スロット（１２８）が前記フック開口部の内側に且つ吊り上げフックの中央に位置することを特徴とする請求項１または２記載の吊り上げフック。
【請求項４】
前記スロット（１１６）の下方部分が湾曲部（１１６ａ、１１６ｂ）を含み、前記挿入開口部（１２８ａ）が吊り上げフックのシャンクに位置することを特徴とする請求項２記載の吊り上げフック。
【請求項５】
前記挿入開口部（１２８ａ）が前記フック開口部から離れて吊り上げフックの前部に位置することを特徴とする請求項４記載の吊り上げフック。
【請求項６】
前記挿入開口部（１２８ｂ）が前記フック開口部から離れて吊り上げフックのシャンク（１１２ｂ）の側部に位置することを特徴とする請求項４記載の吊り上げフック。
【請求項７】
前記挿入開口部（１２８ｃ）が吊り上げフックのシャンクの背部に位置することを特徴とする請求項４記載の吊り上げフック。
【請求項８】
前記スロットの前記下方部がシャンクの前記ブリッジ部（１１５）の下方の支持面で支持されるスロットの中央の支持位置にあるリンク（５２）を横向きに収容することを特徴とする請求項１記載の吊り上げフック。
【請求項９】
前記スロットの下方部がフックの中央の垂直方向に延びる荷重線から離れるように斜めに突出するシャンクの一部に形成され、前記中央に位置するリンクがその長手方向の中心線が前記荷重線に沿って配向され、隣接する係合リンクが前記荷重線に対して斜めに配向されていることを特徴とする請求項１記載の吊り上げフック。
【請求項１０】
前記スロットの下方部が前記ブリッジ部の下に水平位置に前記中央に位置するリンク（５２'）を収容するように形成されていることを特徴とする請求項１記載の吊り上げフック。
【請求項１１】
カップリングリンクを前記フック胴体に連結するためにカップリングリンクの幅の狭い部分が嵌めこまれるような形状寸法を前記フック開口部が有していることを特徴とする請求項１記載の吊り上げフック。
【請求項１２】
前記所望のリンクを前記中央位置に挿入し、フック胴体にカップリングリンクを挿入する際、カップリングリンクが前記所望のリンクを固定することができるような形状寸法を有していることを特徴とする請求項１記載の吊り上げフック。
【請求項１３】
ロック部材（１２７ａ、１２７ｃ、１２９ａａ）が開放位置から固定位置へと移動する時、水平方向に平坦に配向されたリンク（５２）を固定するために前記ロック部材が前記スロットの下方部分を閉鎖するように設けられていることを特徴とする請求項１乃至１２いずれか１項記載の吊り上げフック。
【請求項１４】
前記ロック部材が別個の部材（１２７ｃ）によって構成されていることを特徴とする請求項１３記載の吊り上げフック。
【請求項１５】
前記ロック部材が前記フック開口部を閉鎖する位置に移動して閉鎖するように設けられた枢動自在なレバー（１３０）の一部を形成することを特徴とする請求項１３記載の吊り上げフック。
【請求項１６】
吊り上げフックのシャンクが枢動レバー（１３０）の一腕部（１１２ｂ）、前記フック開口部を閉じるために設けられた閉鎖部材を形成したもう一方の腕部（１２７ｂ）及びフック胴体（１１０ｂ）のフォーク状の端部で枢動自在に軸支されたレバーの中央部によって形成され、前記フック胴体の前記フォーク状端部の一側部（１２９ａ）が前記スロット（１１６）の下方部を閉鎖するために前記ロック部材（１２９ａａ）を構成することを特徴とする請求項１３記載の吊り上げフック。
【請求項１７】
前記固定部材が吊り上げフックの２つのシャンク部（１１３，１１４）に取り外し自在に固定される横手方向に延びるピン（１０１）を含むことを特徴とする請求項１乃至１６いずれか１項記載の吊り上げフック。
【請求項１８】
前記固定部材が前記２つのシャンク部（１１３、１１４）の上部端部と一体に形成されたアイレット部（１０１ａ）を含むことを特徴とする請求項１乃至１６いずれか１項記載の吊り上げフック。
【発明の詳細な説明】
発明の分野
本発明は吊り上げフックに関するものであり、該フックは荷重を支える下方フック胴体及びホイストチェーンの下端でフックを懸架する上部シャンクからなり、さらにシャンクとフック胴体の間にフック開口部が形成され、シャンクは間にスロットを形成する２つの実質的に平行なシャンク部で形成され、このスロットはホイストチェーンのリンクの１つを収容するように形成され、この１つのリンクはスロットの中央部分に位置し、シャンク部の隣接する部分にはホイストチェーンの中央に位置するリンクに隣接する係合リンクと係合する窪んだ座面が設けられている。
先行技術
このような巻き上げ用リフトは以前にも仏国特許明細書第５４１，０６９号（Ｙｓｅｂｏｏｄｔ、１９２２年公告）からよく知られている。このフックのシャンクはホイストチェーンの係合リンクを囲むためにスロット領域以外のポケットを囲む壁を有するケーシングとして形成されている。このケーシング内では、係合リンクはフックの使用時には、ポケット（上述したような窪んだ座面を有する）の所定位置に確実に保持される。またフックからホイストチェーンの取り外しが容易であり且つ係合ポケット内の係合リンクとして他のリンクの１つを挿入することによってホイストチェーンの長さを簡単に長くしたり短くすることが可能である。スロットに平らに配された中央に位置するリンクを容易に通常の垂直位置からリンクが次の隣接するリンクがシャンクケーシングに邪魔されずにスロットに沿って滑動できる位置へと揺動可能であることによってこのような操作が容易に行われる。
スイベル継ぎ手手段によってフックのシャンクに連結される別個のチェーン継ぎ手部材が設けられてはいるが、類似の装置が米国特許第２，６３０，６１０号に開示されている。
上記２つの先行装置においては、係合ポケットケーシングは嵩張り且つ製造コストがかかり且つ複雑であり、フック装置の重量を重くしている。また上記仏国特許に開示されているフックでは、係合リンクから吊るされているチェーンリンクはフック胴体（荷重のかかる）の内部を干渉する傾向がある。
発明の概要
本発明の目的は軽量で且つ安価に製造でき単純な構造の巻き上げ装置用フックを提供することであり、さらに確実な懸架機能を有し且つフックのシャンクでホイストチェーンの有効長を簡単に変えることができるという基本的な機能を有するフックを提供することを目的としている。
本発明のこの目的は、本明細書の冒頭部分で述べた特徴のほかに以下に述べる特徴によって達成される。
２つのシャンク部を互いに連結しスロットを上部スロット及び下部スロットに分割するためにシャンク部間のスロットを横断して延びるシャンクのブリッジ部と、フックのシャンクにホイストチェーンの端部リンクを確実に定着させるための２つのシャンク部間での横手方向に延びるアンカー部材が設けられた上部スロットと、挿入開口部を有するスロットであってこの挿入開口部内にホイストチェーンの所望のリンクが挿入されブリッジ部に隣接する中央位置内に移動させる下部スロットと、及びブリッジ部に隣接する下方スロット部に位置し且つ前記固定された端末リンクと係合リンク間でホイストチェーンのゆるい荷重のかかっていないループを形成するために上部シャンクから離れるように係合リンクを横手方向に突出させるように配された窪んだ座面。
従って本発明の巻上げ装置用フックでは、シャンクには密閉ポケットを形成するケーシングは設けられておらず、中央に位置するリンクを案内し且つ支持するためにスロットを横切って延びるブリッジ部と貫通スロットが設けられているだけである。スロットの下部に位置するこのリンクは隣接する係合リンクによって所定の位置に確実に保持される。係合リンクはフックの上部シャンクから離れて横手方向に延びているので、関連する荷重のかかっていないループは、フック胴体の内部から離れて保持されフック胴体を干渉することがない。
ホイストチェーンの特定の有効な長さを得るために選択されたリンクは、スロットの下部の挿入開口部内に横から容易に挿入することができる。この挿入開口部はフックの内側またはシャンクのどちらかに位置する。さらに改良点として支持リンクを分割部材またはフック開口部を閉じるために設けられた枢動レバーの一部のいずれかであるロック部材によってスロットの下部内でロックすることが可能である。
これら及び他の利点は従属請求項に記載されており、添付の図面を参照した後述の説明によってより明らかになる。
【図面の簡単な説明】
図１は本発明によるフックを下端部で支持するホイストチェーンの側面図である。
図２はホイストチェーンの無いフックの側面図である。
図２ａは図２の面Ａに沿ったシャンクの詳細断面図である。
図３は本発明によるフックの第２の態様を示す側面図である。
図３ａは本発明によるフックの第３の態様を示す側面図である。
図３ｂは図３ａに示したフックを一部断面にて示す正面図である。
図４は本発明によるフックの第４の態様を示す正面図である。
図４ａは図４に示したフックの側面図である。
図５及び５ａは第４及び４ａ図に示した本発明によるフックの第４の態様に僅かに変更を加えたフックの正面図及び側面図である。
図６及び６ａは本発明によるフックの第５の態様の正面図及び側面図である。
図７は本発明のフックの第６の態様及びそれに関連する継ぎ手リンクの側面図である（後者は断面にて示されている）。
図７ａは図７に示した継ぎ手リンクの側面図である。
図７ｂは図７の態様に変更を加えたフック及び継ぎ手リンクの側面図である。
図７ｃは図７ｂに示したフックの断面図である。
図８ａ、８ｂ、８ｃ、８ｄ及び８ｅは図７に示したフックの下方フック胴体とフック開口部のロック手段の種々の変形例の詳細図である。
図９ａ、９ｂ及び９ｃはフックの上端で閉鎖部分を有する本発明によるフックの第７の態様を示す。
好ましい態様の詳細な説明
図１に示す装置はホイストチェーン（５０）の下端で懸架されている吊り上げフック（１００）を含み、ホイストチェーンの上端はカップリングリンク（２０）に連結され且つ固定されており、カップリングリンクは楕円のリング１０、例えばチェーン、吊り上げストラップあるいはクレーン、高架クレーンまたは他の昇降装置から懸架されるフックに連結される。カップリングリンク（２０）は、その上端でホイストチェーンの有効長を短くしたり、長くしたりできるＰＣＴ／ＳＥ９５／００７６６（フレデリックソン）に開示されているカップリングリンクと同種のものである。
本発明による吊り上げフック（１００）は、カップリングリンクと同様にホイストチェーンの有効長をその下端で、即ちフックそれ自体で調節できるように設計されている。特定の状況下において、積荷を扱う際に吊り上げフックを積荷上に適正な高さに位置させるためにこのような長さ調整ができるということは有利である。図１から明らかなように下方の末端リンク（５１）は、フック（１００）の固定ピン（１０１）に常に連結されるが、選択された支持リンク（５２）は、隣接する係合リンク（５３）と共にフックを支え、このことによりホイストチェーンの荷重の懸かっていないループ（５４）を形成し、該ループ（５４）は吊り上げフック（１００）の側部で自由に垂れ下がった状態で支持される。
フック（１００）の構造及びフックが、ホイストチェーン（５０）のリンクへいかにして連結されるかを図２及び２ａに示す。吊り上げフックは、ほぼ環状の弓形に湾曲し且つ自由端（１１１）に向かってテーパーした下方フック胴体（１１０）と、垂直方向（フックを図に示すように上向きにした時の）に実質的に並行な２つのシャンク部（１１３，１１４）で形成された上部シャンク（１１２）からなる。
２つのシャンク部（１１３，１１４）は、好ましくはこれらシャンク部以外の所でフックと一体に鍛造された支持ブリッジ部によって互いに距離をおいて固定されている。上記シャンク間の距離はその間に実質的に平滑な内面（１１７，１１８）をそれぞれ有する垂直方向に延びるスロット（１１６）を形成するために設けられており、該スロットはホイストチェーンのリンクの厚みに基本的に対応し且つスロットの中央に位置しフックに対して横向きに配向される支持リンク（５２）を内面（１１７、１１８）間で遊びを設けて収容するように設けられている。
図１、２及び２ａに示す位置において、支持リンク（５２）は、その長手方向に延びる上方側面がブリッジ部の水平下方面で支持される間、長手方向の軸が実質的に水平方向に配向され且つ主要面が垂直になるように配される（スロット１１６の中央面Ａに一致する）。このため、下方面（１１９）の形状はフックの主要面Ｂに対して垂直方向に直線状であり且つ主要面Ｂにおいて凹状に湾曲している。
図２ａから明らかなように、ブリッジ部（１１５）は、シャンク部（１１３、１１４）より僅かに幅が広く（面Ａにおいて）且つブリッジ部の上面は、ほぼ半円上に湾曲している。またブリッジ部は、ホイストされる側の面Ａに配向されるリンク（５６）がそのシャンクに隣接する下端部と共に直立状態で収容できる形状寸法に形成される。このように上向きに収容されたリンク（５６）と水平に支持されたリンク（５２）の間に位置するリンク（５５）は、傾斜した横方向に突出した支持面（１２１，１２２）とシャンク（１１３，１１４）の側部で接触している間、斜めに配向される。これら支持面（１２１，１２２）の下端は、湾曲した窪んだ座面（１２３，１２４）と併合し、これら座面はホイストチェーン（５０）の荷重の懸かっていない側（図２ａの左側）で支持リンク（５２）に隣接する係合リンク（５３）と係合し且つ斜めに配向されたリンク（５５）（図２ａの右側）の下端を収容する。傾斜した横方向に突出した支持面は、ブリッジ部（１１５）の下面（１１９）よりやや上方に延び横方向に延びる突起（１２５）を形成している。
図２ａに示すように係合リンク（５３）は上部シャンクから離れるように横手方向に延び、これにより荷重の懸かっていないループ（５４）がフック胴体（１１０）の妨げにならないようにがフック胴体の側部で自由に保持される。
図１、２及び２ａに例示する実施態様では、シャンク（１１３，１１４）間のスロット（１１６）は実質的に直線状であり、垂直面Ａにおいて下方に延び且つ枢動自在な閉鎖部材（１２７）の内側でフック胴体（１１０）の中央開口部（１２６）内に開口している。閉鎖部材はシャンク部（１１３）で軸支され、この閉鎖部材が格納位置（破線にて示す）から閉鎖位置に移動することによってフック胴体の開口部が閉じられる。
ホイストチェーン（５０）の有効長を調節する際、所望の支持リンク（５２）をフック胴体の中央開口部（１２６）内に挿入し、スロット（１１６）の開口部内に横向きに挿入する。その後、支持リンク（５２）は図２及び２ａに示すようにスロットの中央部に滑動されブリッジ部（１１５）の下側に当接する。
通常の使用時と同様にこのような調整作業の間、ホイストチェーンの端末チェーン（５１）が常にフック（１００）のシャンクの頂部でアンカーピン（１０１）に連結されているということは非常に有利である。手作業で吊り上げフックを扱う場合または荷重がある支持面に載せるためにホイストチェーン下降させる際に吊り上げフックが緩むという危険がなくなるからである。
図３に示す態様において、スロット（１１６）の下方部分は、ブリッジ部の真下に位置し、中央に支持リンク（５２）を収容するための垂直部と、枢動自在な閉鎖部材（１２７）の上のフック胴体（１１０ａ）の前面に位置する挿入開口部（１２８ａ）内へ垂直面Ａから離れるように延びた湾曲部（１１６ａ）を有する。この閉鎖部材（１２７）は、挿入開口部（１２８ａ）を閉じるために設けられ、その結果閉鎖部材がフック開口部を閉じる際スロットの下部（１１６）で支持リンク（５２）がスロットから外れないように係止するために設けられた上方に向いた比較的短い第２腕部（１２７ａ）を有する。一方、閉鎖部材が開放位置へ後退した場合（図３の破線で示す）、第２腕部（１２７ａ）は挿入開口部（１２８ａ）から離れるように揺動し、これによりホイストチェーン（５０）の有効長の調節が可能となる。
図３ａ及び３ｂはフック胴体（１１０ａ）の背部で後方に湾曲したスロット（１１６）の下方部を有する本発明の第３の態様（閉鎖部材が設けられていない）を示す。従ってこの場合、挿入開口部（１２８ｃ）はシャンクの背部に位置する。フック胴体の背面はスロットの下部（１１６ａ）及び係合リンクが係合する窪んだ座面と滑らかに連なる。
図４及び４ａは本発明の吊り上げフックの第４の態様を示す。フック胴体（１１０ｂ）は２つの側部（１２９ａ、１２９ｂ）を有するフォーク状の上端部（１２９）を有し、これら２つの側部の間に２本の腕部を有するレバー（１３０）が枢動自在に軸支されている。上腕部（１１２ｂ）はフックのシャンクを構成し、一方下腕部（１２７ｂ）は、フック開口部を閉じるための閉鎖部材を形成する。レバー（１３０）はスプリング（図示せず）によって付勢されるラッチ（１３１）によって閉鎖位置に固定される。
シャンク（１１２ｂ）は、図３、３ａ及び３ｂのフックのシャンクのように、即ちスロット（１１６）の下方部分が湾曲したて構成になっている。この場合、しかしながら挿入開口部（１２８ｂ）は、フックの側部に位置する。さらにスロット（１１６）の下部を遮断するロック部材がピン形状の別個の部材（１２７ｃ）によって構成され、このロック部材は、その軸方向に且つスロットに対して横方向に移動可能であり、スプリング（図示せず）によって図示したロック位置に付勢される。
第４の態様の変形例を図５及び５ａに示す。フォーク状の部分（１２９）の側部の内１つ、例えば側部（１２９ａ）（図５の左側）は、上方に延び、突起（１２９ａａ）を形成し、この突起は閉鎖部材（１２７ｂ）がフック開口部を閉鎖する時、挿入開口部の領域でスロット（１１６）の下部を遮断する役割を果たす。
この変形例では図５ａから明らかなようにレバー（１３０ａ）は、図４に示す態様と比較して、僅かに反対方向に曲がっており、これにより枢動軸（１３２）は、図５の荷重方向を示す線Ｌからいくらか離れて位置する。シャンクの支持ブリッジ部（１１５）と枢動軸（１３２）は、線Ｌにおいて対向側部に位置し、これにより吊り上げフックに荷重が懸かった際、閉鎖部材（１２７ｂ）がフック開口部を閉鎖することになる。このことはホイストチェーンの荷重の懸かっていないループ（５４）が、フックの背部（図４ａに示すように左側ではなく図５ａに示すように右側）に位置しても同様である。
図６及び６ａに示す吊り上げフックの第５の態様は、上述の態様とはシャンク（１１２ｃ）が枢動軸（１３２）の真上に位置するシャンクの部分の長手軸方向からに離れるような角度で突出しているという点で異なる。横手方向に延びるブリッジ部（１１５）の下の中央スロット部分（１１６）の両側部で外方（後方）に突出したシャンク（１１２ｃ）の部分において、シャンクには図６ａに示すように斜めに配向された係合リンク（５３'）と係合するための急角度で湾曲した座面（１３３、１３４）が設けられている。この場合、係合リンクに隣接する支持リンク（５２'）は垂直な長手方向軸上に位置する（基本的にはフックに懸かる荷重の方向を表す線に沿って）。
図７に示す吊り上げフックの第６の態様は、基本的には図１，２及び２ａに示す第１の態様に対応する。しかしながら、フック胴体（１１０ｅ）は、カップリングリンク（１４０）を受け且つ支持するような形状を有し、カップリングリンクは、チェーンまたは他の吊り上げ手段を支持する。図７及び７ａから明らかなようにカップリングリンク（１４０）の断面は、フック開口部より幅が広い。しかしながら、カップリングリンク（１４０）にはフック開口部（１１０ｆ）内にはめ込むことができるように平坦且つ幅の狭い部分（１４０ａ）が設けられている。
フック開口部（１１０ｆ）は、上方のホイストチェーンの支持リンク（５２）用の挿入開口部として機能する。従ってカップリングリンクを挿入する前に支持チェーンリンクを横向きにフック開口部内に挿入することができ、該リンクがその長手方向軸が水平に配され、図１，２及び２ａに示す態様と同様にシャンクのブリッジ部を支持する図７に示すスロットの中央部分内へ移動する。このようにして荷重の懸からない長さを調節するためのループが形成される。
この後、図７に示すようにフック胴体（１１０ｅ）の内部にカップリングリンク（１４０）を挿入し、支持リンク（５２）は所定の位置に固定され、カップリングリンク（１４０）が取り除かれる迄、支持リンクをその所定の位置から動かすことができない。
必要であれば、図７に示すフックにカップリングリンク（１４０）及びまたはホイストチェーンの支持リンク（５２）を固定するためのばね付勢されるピン状のロック部材を別個に設けてもよい。
図７ｂに示す変形例では、ブリッジ部（１１５）の下方に位置する下方スロット部（１１６'）の向きがいままでの態様のものとは異なる、即ちこの態様では下方スロット部は、上方スロット部が延びている中央の垂直面に対して水平方に横手方向に延びている。この結果、挿入開口部（１２８ｄ）内に所望のリンク（５２'）を横向きに挿入すると、リンク（５２'）はブリッジ部（１１５）の中央真下にブリッジ部の延長面に対して水平に位置する。隣接するチェーンリンク（５３'、５５'）は当然のことながら凹状に湾曲した座面とスロットの各側部で係合する間、垂直（リンク５２'に対して）に配向される（図７ｃ参照）。
図８ａに示すロックピン（１４１ａ）は、フック開口部（１１０ｆ）に平行に配され且つそのロック位置（図示せず）においてフック胴体の中央開口部を閉鎖するように設けられている。
図８ｂに示すロックピン（１４１ｂ）は、開口部（１１０ｆ）に隣接するフックのシャンク部の下端に設けられている。
図８ｃの態様では、ロックピン（１４１ｃ）はその長手方向軸が中央開口部（１２６）の中央に向いて延び且つ中央開口部（１２６）内に導くための開口部（１２６ａ）と同軸である。
図８ｄでは、ロックピン（１４１ｄ）はフック胴体の背部に設けられ、ロック位置にある時シャンクの対向する下端にまで延び、これにより中央開口部（１２６）に導く開口部（１２６ａ）と同様にフック開口部を閉鎖する。
最後に図８ｅに示すロックピン（１４１ｅ）は、図８ａに示すロックピンと同じように取り付けられている。しかしながら、この場合フック胴体（１１０'）は、例えば合成繊維材からなる平坦なホイストストラップを受けるための幅の広い開口部（１２６'）を形成するように構成されている。
上述の全ての態様において、吊り上げフックの上部シャンクにホイストチェーンの末端リンクを連結する固定部材は、２つのシャンク間で横手方向に延びるピン（１０１）によって構成される。また他の選択肢として、吊り上げフックのシャンクの上端を２つのシャンクが一体となったアイレット（１０１ａ）状に形成してもよい。このような変形例の吊り上げフック（１００'）を第７の態様として図９、９ａ及び９ｂに例示する。シャンク（１１３，１１４）は、弧状部分（１０１ａ）と滑らかに連なる。従って上方弧状部分（１０１ａ）、シャンク部（１１３，１１４）及び支持ブリッジ部（１１５）によって閉ループ（アイレット状の）が形成される。吊り上げフックの残りの部分は、図３に示したものと同一である。
図９では、ホイストチェーンの下端はカップリングリンク（２００）によって吊り上げフックに連結され、この閉カップリングリンクは製造時に溶接され永久的に連結された状態になる。
当然のことながら、図９ａに示すようにヒンジが設けられたカップリングリンク（２００ａ）のような取り外し自在のカップリングリンクの使用も可能である。永久的にカップリングリンクを吊り上げフックに連結する場合、図９ｂに示すような大形の楕円リング（２２０ｂ）をホイストチェーンの下端に連結してもよい。
【図１】
0004030128.tif 000002
【図２】
0004030128.tif 000003
【図２ａ】
0004030128.tif 000004
【図３】
0004030128.tif 000005
【図３ａ】
0004030128.tif 000006
【図３ｂ】
0004030128.tif 000007
【図４】
0004030128.tif 000008
【図４ａ】
0004030128.tif 000009
【図５】
0004030128.tif 000010
【図５ａ】
0004030128.tif 000011
【図６】
0004030128.tif 000012
【図６ａ】
0004030128.tif 000013
【図７】
0004030128.tif 000014
【図７ａ】
0004030128.tif 000015
【図８ｅ】
0004030128.tif 000016
【図７ｂ】
0004030128.tif 000017
【図７ｃ】
0004030128.tif 000018
【図８ａ】
0004030128.tif 000019
【図８ｂ】
0004030128.tif 000020
【図８ｃ】
0004030128.tif 000021
【図８ｄ】
0004030128.tif 000022
【図９】
0004030128.tif 000023
【図９ａ】
0004030128.tif 000024
【図９ｂ】
0004030128.tif 000025